(57)【要約】【目的】利便性が高く、使用に際して安全なファイル綴具を提供する。【構成】断面形状が偏平Ｃ字形をしたバネ性を有する本体枠１内に、左右一対の作動板３，４を設ける。作動板３，４にはリング状を成す半割りの綴環５，６を取り付け、本体枠１の長手方向両端部にはその両側端縁１Ａ，１Ｂをかしめて作動板３，４の屈曲操作を行うためのトリガ８を装着する。トリガ８は、本体枠１と作動板３，４との間に介在されるヘッド部１５と、作動板３，４の端面に臨む取付部１１と、本体枠１の表面側に立ち上がる操作部９とを形成する。操作部９の下方部分は本体枠１の端面を覆い、本体枠１はトリガ８の取付部１１と操作部９との間でその両側端縁１Ａ，１Ｂがかしめられる。これによれば、かしめ部が突出せず、これによる指先の負傷などを防止できる。【選択図】　図７
2004098417.tif 000002
【特許請求の範囲】
【請求項１】
バネ性を有する本体枠内に半割りの綴環を取り付けた左右一対の作動板を設けると共に、前記本体枠の長手方向両端部にその両側端縁をかしめて前記作動板の屈曲操作を行うためのトリガを装着し、そのトリガによる作動板の屈曲操作により前記綴環が開閉するようにしたファイル綴具において、前記トリガは本体枠と作動板との間に介在されるヘッド部と、前記作動板の端面に臨む取付部と、前記本体枠の表面側に立ち上がる操作部とを形成し、その操作部の下方部分が本体枠の端面を覆い、前記本体枠はトリガの取付部と操作部との間でその両側端縁がかしめられて成ることを特徴とするファイル綴具。
【発明の詳細な説明】
【０００１】
【発明の属する技術分野】
本発明は、用紙類の結束に用いられるファイル綴具（リングバインダ）に係わり、特に使用上の安全性を向上させたファイル綴具に関する。
【０００２】
【従来の技術】
従来、用紙類の結束用として、リングバインダと呼ばれるファイル綴具が知られ、一般に広く賞用されている。これはバネ性を有する本体枠内に、半割りの綴環を取り付けた左右一対の作動板を設けるほか、本体枠の長手方向両端部に作動板の屈曲操作を行うためのトリガを取り付けて構成される。
【０００３】
そして、この種のファイル綴具によれば、トリガによる作動板の屈曲操作により用紙類を結束するための綴環を開閉させることができる。
【０００４】
その一例を図９に示して説明すれば、Ｆは本体枠、Ｒ，Ｒは本体枠の表面側に突出する半割りの綴環、Ｐ，Ｐは綴環を取り付けた左右一対の作動板であり、作動板Ｐ，Ｐの端部中央には横長のスリットＳが形成される。又、ＴはＪ字形のトリガであり、このトリガＴはその先端を本体枠Ｆと作動板Ｐ，Ｐとの間に填め込まれるヘッド部ｈとし、該ヘッド部の下方にスリットＳに嵌まるネック部ｎを形成する。
【０００５】
よって、トリガＴはスリットＳによって脱落が防止されるものの、図９のような綴具では作動板Ｐ，Ｐの相互間にトリガＴを挟み込み、その状態で両者を本体枠Ｆと一体化しなければならないので組付作業が容易でなく、しかもトリガＴがスリットＳのみで保持されるためにがたつき易いという欠点があった。
【０００６】
そこで、図１０に示すような綴具も実用化されている。この綴具は本体枠Ｆと作動板Ｐ，Ｐとの端部中央にそれぞれ凹字形の切欠溝Ｍ１，Ｍ２が形成され、それら切欠溝Ｍ１，Ｍ２にトリガＴが填め込まれる構成としてある。
【０００７】
特に、図１０のような綴具によれば、本体枠Ｆと作動板Ｐ，Ｐとを一体化し、次いで切欠溝Ｍ１，Ｍ２の部分にトリガＴを差し込み、その状態で図１１及び図１２に示すよう本体枠Ｆの両側端縁ｅ，ｅをかしめることにより、トリガＴの取り付けが行われる。これによれば、トリガＴが切欠溝Ｍ１，Ｍ２とかしめ部ｅ，ｅとで保持されるためにがたつかず、その取り付けも容易に行うことができる。
【０００８】
【発明が解決しようとする課題】
然し乍ら、図１０〜図１２に示すような従来のファイル綴具によれば、本体枠の両端かしめ部が薄片状となってファイルブックの表紙より突出し、そのファイルブックを書棚から取り出す際などに指先をかしめ部に引っ掻けて負傷する虞れがあった。
【０００９】
又、かしめ部が突出するために、その分だけファイル綴具の全長が用紙のサイズよりも長くなり、これを定形サイズの表紙に取り付けたときにかしめ部が外部に突出するという不具合を生ずることがあった。
【００１０】
本発明は以上のような事情に鑑みて成されたものであり、その目的は利便性が高く、使用に際して安全なファイル綴具を提供することにある。
【００１１】
【課題を解決するための手段】
本発明は上記目的を達成するため、バネ性を有する本体枠内に半割りの綴環を取り付けた左右一対の作動板を設けると共に、前記本体枠の長手方向両端部にその両側端縁をかしめて前記作動板の屈曲操作を行うためのトリガを装着し、そのトリガによる作動板の屈曲操作により前記綴環が開閉するようにしたファイル綴具において、前記トリガは本体枠と作動板との間に介在されるヘッド部と、前記作動板の端面に臨む取付部と、前記本体枠の表面側に立ち上がる操作部とを形成し、その操作部の下方部分が本体枠の端面を覆い、前記本体枠はトリガの取付部と操作部との間でその両側端縁がかしめられて成ることを特徴とする。
【００１２】
【発明の実施の形態】
以下、本発明の適用例を図面に基づいて詳細に説明する。図１は本発明に係るファイル綴具の平面図、図２は同側面図であり、図３には図２におけるＸ−Ｘ断面を示す。これらの図において、１は金属板を加工してバネ性を付与した長尺な本体枠であり、この本体枠１は偏平Ｃ字形の断面形状を有してその頂部両側に円筒状の留金２を備える。この留金２は綴具全体を図示せぬ表紙の背部に固定するためのものであり、その一端は本体枠１の表面頂部に固定され、他の一端は後述する左右一対の作動板３，４の境界部を貫通してその下方に突出される。
【００１３】
作動板３，４は、内側縁３Ａ，４Ａを係合させて互いに屈曲動作を行うヒンジ状の金属板で成り、これは本体枠１の長手方向に沿って該本体枠の内側に設けられ、その外側縁３Ｂ，４Ｂは本体枠１にて弾力的に支持されている。
【００１４】
又、作動板３，４には、本体枠１の表面側に立ち上がるようにして半割りのリング状を成す綴環５，６が所定の間隔で取り付けられ、本体枠１には綴環５，６を通すための長孔７が穿設される。綴環５，６はルーズリーフなど用紙に開けた穴に通す結束用の金具であり、その各一端は作動板３，４に堅固に固定され、上部側の各一端は自由端として互いに突き合わせられる。特に、その綴環５，６は作動板３，４に連動して突き合わせ部分が開閉するようになっている。
【００１５】
８は作動板３，４を屈曲操作せしめて綴環５，６の開閉を行うトリガであり、このトリガ８は本体枠１の長手方向両端部に揺動可能にして装着され、平時は直立状を成して綴環５，６を閉鎖し、これを外方に傾動させたときには綴環５，６の開放が行われる。
【００１６】
つまり、図３のようにトリガ８が直立姿勢にあると、作動板３，４がＶ字状を成して綴環５，６の閉鎖状態が保たれるが、トリガ８を外方に傾動させると作動板３，４が本体枠１の弾力に抗して逆Ｖ字状となり、これによって綴環５，６が図３の想像線に示すよう開放するようになっている。
【００１７】
図４は、トリガを示した斜視図である。この図で明らかなように、トリガ８は下方に左右一対の突片９Ａ，９Ｂをもつ操作部９を主面として、突片９Ａ，９Ｂの間で操作部９に略直角に連なる上段水平部１０と、該上段水平部の先端下方に直角に折れ曲がる横長の取付部１１と、該取付部の下縁中央に略直角に連なる下段水平部１２と、該下段水平部の先端を斜め上方に折り起こして成る斜面部１３とを形成すると共に、斜面部１３の先端には幅狭のネック部１４を介して長円状のヘッド部１５が形成される。
【００１８】
特に、操作部９の下方部分の幅（突片９Ａ，９Ｂ間の距離）は本体枠１の幅と略等しく、取付部１１は本体枠１の内部形状と同様な形状を成し、その長さは本体枠１の内径幅と略同等に設定される。又、トリガ８は金属板を折り曲げて上記のような各部を一体に形成するが、安全性の観点からその周縁には研磨をするなどして丸みを付けることが好ましい。
【００１９】
尚、トリガ８を傾動させたときには、斜面部１３の上端縁が作動板３，４の内側縁３Ａ，４Ａ寄りを下方から加圧するために作動板３，４が逆Ｖ字状に屈曲する一方、トリガ８を直立姿勢に復帰させるときには、ヘッド部１５の下縁が作動板３，４の内側縁３Ａ，４Ａ寄りを上方から加圧するために作動板３，４がＶ字状に屈曲する。但し、作動板３，４をＶ字状に屈曲する場合には、開放状態にある綴環５，６に閉鎖方向への操作力を加えてもよい。
【００２０】
一方、図５に示すように、作動板３，４の長手方向両端部（図５には一端部のみを示す）には、相接する内側縁３Ａ，４Ａを中心として凹字形の切欠溝１６が形成される。そして、トリガ８は本体枠１内に作動板３，４を組み込んだ後、外方から切欠溝１６にネック部１４を差し込んで本体枠１の両端部に配される。
【００２１】
斯くて、トリガ８を本体枠１の両端部に配した状態では、図６に示すようヘッド部１５が本体枠１と作動板３，４との間に介在し、取付部１１が作動板３，４の端面に臨み、上段水平部１０が本体枠１の裏面に沿い、操作部９が本体枠１の表面側に略直角に立ち上がる。ここに、本体枠１は図７に示すようその両側端縁１Ａ，１Ｂがトリガの取付部１１と操作部９との間で本体枠１の厚さ方向にかしめられ、そのかしめ部１Ａ，１Ｂと作動板３，４の端面との間に取付部１１の両側が挟み込まれる。
【００２２】
このため、トリガ８は脱落せぬ状態で本体枠１の両端部に揺動可能に装着される。特に、トリガ８を装着した状態では、図８に示すよう突片９Ａ，９Ｂを形成する操作部９の下方が本体枠１の端面を覆い、当該部分への指先の接触を防止する。このため、係るファイル綴具を設けたファイルブックを書棚から取り出す場合などにおいて、かしめ部を含む本体枠１の端面で指先を負傷することがない。尚、両側端縁１Ａ，１Ｂのかしめは、プレス装置や所定の工具を用い、当該部分を本体枠１の裏面側から圧潰することにより行われる。
【００２３】
以上、本発明について説明したが、係るファイル綴具は図示例のものに限らず、例えば綴環５，６を本体枠１の長手方向に所定の間隔をあけて多数設けるようにしても良い。
【００２４】
【発明の効果】
以上の説明で明らかなように、本発明によればバネ性を有する本体枠内に半割りの綴環を取り付けた左右一対の作動板を設けると共に、本体枠の長手方向両端部にその両側端縁をかしめて作動板の屈曲操作を行うためのトリガを装着し、そのトリガによる作動板の屈曲操作により綴環が開閉するようにしたファイル綴具において、トリガは本体枠と作動板との間に介在されるヘッド部と、作動板の端面に臨む取付部と、本体枠の表面側に立ち上がる操作部とを形成し、その操作部の下方部分が本体枠の端面を覆い、本体枠はトリガの取付部と操作部との間でその両側端縁がかしめられて成ることから、本体枠の長手方向両端部にかしめ部が突出せず、使用に際しての安全性が大幅に向上する。
【００２５】
又、かしめ部が突出しないために、ファイル綴具の全長を用紙のサイズとほぼ同じにして定形サイズの表紙内に完全に収めることができる。
【図面の簡単な説明】
【図１】本発明に係るファイル綴具を示した平面図
【図２】同ファイル綴具の側面図
【図３】図２におけるＸ−Ｘ拡大断面図
【図４】トリガの斜視図
【図５】本体枠の一端部を部分的に破断して示したファイル綴具の斜視図
【図６】同ファイル綴具の一端部を示した断面概略図
【図７】同ファイル綴具の一端部を示した底面図
【図８】同ファイル綴具の端面図
【図９】従来のファイル綴具を示す斜視図
【図１０】従来の他のファイル綴具を示す斜視図
【図１１】図１０に示した従来綴具の底面図
【図１２】図１０に示した従来綴具の端面図
【符号の説明】
１　本体枠
１Ａ，１Ｂ　本体枠の両側端縁（かしめ部）
２　留金
３，４　作動板
５，６　綴環
７　長孔
８　トリガ
９　操作部
１０　上段水平部
１１　取付部
１２　下段水平部
１３　斜面部
１４　ネック部
１５　ヘッド部
１６　切欠溝
【図１】
2004098417.tif 000003
【図２】
2004098417.tif 000004
【図３】
2004098417.tif 000005
【図４】
2004098417.tif 000006
【図５】
2004098417.tif 000007
【図６】
2004098417.tif 000008
【図７】
2004098417.tif 000009
【図８】
2004098417.tif 000010
【図９】
2004098417.tif 000011
【図１０】
2004098417.tif 000012
【図１１】
2004098417.tif 000013
【図１２】
2004098417.tif 000014